(57)【要約】【課題】気軽に誰でも改善ポイントを教えてもらったり、アドバイスを受けたりする事がでるようにすること。【解決手段】レクチャー受講者が存在するエリアをモニタリングするモニターカメラ４０２と、レクチャールーム３００のサーバー３０３が接続され、モニターカメラ４０２はユーザー１０１に関する映像をサーバー３０３に送信し、インストラクター３０１は映像に対してアドバイスをサーバー３０３に入力し、サーバー３０３はアドバイスをユーザー１０１の携帯端末１０２に送信する。【選択図】図１
2008003324.tif 000002
【特許請求の範囲】
【請求項１】
レクチャー受講者が存在するエリアをモニタリングするモニターカメラと、レクチャールームのサーバーが接続され、
前記モニターカメラは前記レクチャー受講者に関する映像を前記サーバーに送信し、
インストラクターは前記映像に対してアドバイスを前記サーバーに入力し、
前記サーバーはアドバイスを前記レクチャー受講者の携帯端末に送信することを特徴とするレクチャーシステム。
【請求項２】
前記レクチャーサービス料金は、前記レクチャー受講者がチケット購入時に併せて支払い、そのチケットに記録しておくことを特徴とする請求項１記載のレクチャーシステム。
【請求項３】
前記レクチャーサービスはセンサーがチケットの有効性を確認した後、開始されることを特徴とする請求項１または２記載のレクチャーシステム。
【請求項４】
レクチャー受講者が存在するエリアをモニタリングするモニターカメラと、レクチャールームのサーバーが接続され、
前記モニターカメラは前記レクチャー受講者に関する映像を前記サーバーに送信し、
インストラクターは前記映像に対してアドバイスを前記サーバーに入力し、
前記サーバーはアドバイスを前記レクチャー受講者の携帯端末に送信することを特徴とするレクチャー方法。
【請求項５】
前記レクチャーサービス料金は、前記レクチャー受講者がチケット購入時に併せて支払い、そのチケットに記録しておくことを特徴とする請求項４記載のレクチャー方法。
【請求項６】
前記レクチャーサービスはセンサーがチケットの有効性を確認した後、開始されることを特徴とする請求項４または５記載のレクチャー方法。
【請求項７】
コンピュータに請求項１から３のいずれか１項に記載の機能を実現させることを特徴とするプログラム。
【発明の詳細な説明】
【技術分野】
【０００１】
本発明は、携帯端末を用いたスノーボードやスキーなどのレクチャーをスキー場などで提供するサービスで、スクールに入学しなくても、ライセンスを持つ指導者のアドバイス等を受けられる技術に関する。
【背景技術】
【０００２】
従来、スノーボードやスキーのレクチャーをスキー場などで提供するサービスがあり、スクールに入学し、ライセンスを持つ指導者のアドバイス等を受けることが可能であった。
【０００３】
ここで、画像追跡システムは、画像認識手段を内蔵した画像追跡装置と、位置情報検出手段を内蔵し被撮影物体たるスキーヤーに装着された携帯電話機とで構築されており、画像追跡装置は、携帯電話機との対話形式の双方向通信に基づいて、まず、形状撮影エリアにてスキーヤーの形状を撮影し、形状データを登録し（第１の行程）、次に、撮影可能エリア内の任意の位置を撮影開始地点として検出される位置情報に基づいてスキーヤーを撮影し、撮影された画像データ内の形状データを画像認識に基づいてロックし（第２の行程）、そして、位置情報及び画像認識に基づいて、前記ロック状態を維持しながら、滑走するスキーヤーを自動追跡して撮影する（第３の行程）ことで、広範な撮影可能エリアにおいて撮影開始地点が自由に設定可能で、正確な自動追跡による撮影ができる画像追跡システムを提供することができる技術が提案されている（例えば、特許文献１参照）。
【特許文献１】特開２００２−２９０９６３号公報
【発明の開示】
【発明が解決しようとする課題】
【０００４】
しかしながら、上述した従来例においては次のような問題点があった。
【０００５】
アドバイスを受けるためには、時間が決まったスキースクールや、一緒に滑る仲間にアドバイスをしてくれる人間がいないと受けられず、雑誌や専門誌などで、独学で学ぶしかなかった。
【０００６】
また、スキースクールに入学しても、他の利用者との実力のレベルの関係上、自分が求めるアドバイスが受けられなかったり、時間が決まっているため自分や仲間との時間的な都合がつけにくかったりという要素があった。
【０００７】
また、仲間にアドバイスしてもらうにしろ、アドバイスをしてくれる人の時間を束縛してしまうというような要素があった。
【０００８】
更に従来の改善するシステムとしてユーザーに専用機器を取り付ける手法があったが、これではユーザーの負担も多くなりまた、取り付け等の余計な作業が発生するという要素があった。
【０００９】
本発明は、以上説明した問題点を解決するためになされたものである。その目的は、気軽に誰でも改善ポイントを教えてもらったり、アドバイスを受けたりする事がでるようにするところにある。
【課題を解決するための手段】
【００１０】
上記課題を解決するために、本発明は、レクチャー受講者が存在するエリアをモニタリングするモニターカメラと、レクチャールームのサーバーが接続され、
前記モニターカメラは前記レクチャー受講者に関する映像を前記サーバーに送信し、
インストラクターは前記映像に対してアドバイスを前記サーバーに入力し、
前記サーバーはアドバイスを前記レクチャー受講者の携帯端末に送信するレクチャーシステムを提供する。
【００１１】
また、本発明は、レクチャー受講者が存在するエリアをモニタリングするモニターカメラと、レクチャールームのサーバーが接続され、
前記モニターカメラは前記レクチャー受講者に関する映像を前記サーバーに送信し、
インストラクターは前記映像に対してアドバイスを前記サーバーに入力し、
前記サーバーはアドバイスを前記レクチャー受講者の携帯端末に送信するレクチャー方法を提供する。
【発明の効果】
【００１２】
本発明によれば、気軽に誰でも改善ポイントを教えてもらったり、アドバイスを受けたりする事がでる。
【発明を実施するための最良の形態】
【００１３】
以下、本発明の実施の形態について図面を参照して詳細に説明する。
【００１４】
図１において、本実施の形態におけるレクチャーシステムは、サービスを受けるユーザー１０１が所持する携帯端末１０２と、リフト券及びサービスを受けるための登録を行う券売器２０１と、サービスを受けるユーザー１０１の電子メールアドレスなどの情報を管理するサーバー２０２と、利用するユーザー１０１の情報を伝達する役目を行う通信器２０３と、ユーザーの滑走情報・映像やレクチャーを行うインストラクター又はプロライセンスを持つ人であるインストラクター３０１のアドバイスを伝達する手段である端末３０２と、ユーザー情報と滑走の情報や映像、インストラクター３０１のアドバイス等を管理するサーバー３０３と、ユーザー情報や滑走情報や映像、インストラクター３０１のアドバイスを伝達する手段である通信器３０４と、サービスを受けるユーザー１０１を認識するセンサー４０１と、ユーザー１０１の滑走映像撮影や情報を捉えるモニターカメラ４０２と、ユーザー１０１の滑走映像撮影や情報を伝達する通信器４０３と、インストラクター３０１のアドバイスをユーザー１０１に伝達する通信システム会社が提供するＢＴＳ５００とから構成されている。
【００１５】
携帯端末１０２は、インストラクター３０１のアドバイスと滑走映像を受信する手段を含む。
【００１６】
リフト券売り場２００は、券売器２０１、サーバー２０２、通信器２０３を含むエリアを表す。
【００１７】
券売器２０１は、通常のリフト券にサービスを受ける場合にはユーザー１０１の携帯アドレスの登録機能及び、リフト券にサービスを受けるという情報を記録する機能、サーバー２０２にユーザー１０１のサービス利用情報とリフト券情報、携帯アドレス情報を保存する機能を持つ。
【００１８】
サーバー２０２は、券売器からのユーザー１０１のサービス利用情報とリフト券情報、ユーザー１０１の携帯アドレス情報の関連付けを行い暗号化して、通信器２０３に伝達する機能を持つ。
【００１９】
通信器２０３は、サーバー２０２から伝達されたユーザー１０１に関する関連付けられた情報を通信器３０４に伝達する機能を持つ。
【００２０】
レクチャールーム３００は、インストラクター３０１、端末３０２、サーバー３０３、通信器３０４を含むエリアを表す。
【００２１】
インストラクター３０１は、ライセンスをもつスキー、スノーボードのインストラクター又は、プロのライセンスを持つ人で、ユーザー１０１にレクチャーを施す役割を持つ。
【００２２】
端末３０２は、滑走するユーザー１０１の映像や情報をインストラクター３０１に伝達する手段及び、インストラクター３０１のアドバイスをユーザー１０１に伝達するためのインタフェース機能を持つ。
【００２３】
ゲレンデ４００は、センサー４０１、モニターカメラ４０２、通信器４０３を含むエリアを表す。
【００２４】
センサー４０１は、サービスを受けるユーザー１０１を識別して、モニターカメラ４０２を作動させ、通信器４０３にユーザー識別情報を送信する機能を持つ。
【００２５】
モニターカメラ４０２は、センサー４０１でユーザー１０１が識別されると滑走映像及び情報のモニターを行いそれらの情報を通信器４０３に送信する機能を持つ。
【００２６】
通信器４０３は、センサー４０１及びモニターカメラ４０２の情報をレクチャールーム３００の通信器３０４に送信する機能を持つ。
【００２７】
ＢＴＳ５００は、通信オペレータが一般に提供するネットワークの一部であり、本システムとユーザー１０１が所有する携帯端末１０２間の通信を行う機能を持つ。
【００２８】
次に、図２及び図３、図４のフローチャートを参照して本実施の形態の動作について詳細に説明する。
【００２９】
まず、図２を参照すると、ステップ１において、ユーザー１０１はリフト券売り場２００において券売機２０１にてリフト券購入しサービスを受けるかの選択の準備を行う。
【００３０】
次に、ステップ２において、ユーザー１０１はレクチャーサービスを受けるか選択する。
【００３１】
ステップ３では、ステップ２でサービスを受けないとユーザー１０１が選択した場合、リフト券の金額のみ券売器２０１の画面上に表示させる。
【００３２】
ステップ４では、ユーザー１０１が券売器１０２に表示された金額を券売器１０２に投入して料金を支払う。
【００３３】
ステップ５では、券売器１０２からリフト券のみ発行される。この場合ユーザー１０１はサービスを受けないため、処理は終了となる。
【００３４】
ステップ６では、ユーザー１０１がサービスの利用回数つまりレクチャーを受ける回数を選択する。
【００３５】
ステップ７では、ユーザー１０１が券売器１０２上で所有する携帯端末１０２のアドレス情報を入力する。
【００３６】
ステップ８では、券売器２０１がリフト券の金額とレクチャーサービスの金額と利用回数を券売器２０１上に表示させる。
【００３７】
ステップ９では、ユーザー１０１がステップ８にて券売器上に表示されたリフト券の金額とレクチャーサービスの料金を券売器２０１に投入して支払う。
【００３８】
ステップ１０では、券売器２０１からサーバー２０２に携帯端末１０２のアドレス情報とリフト券の情報、サービス利用回数の情報が送信される。
【００３９】
ステップ１１では、サーバー２０２において、携帯端末１０２のアドレス情報とリフト券の情報、サービス利用回数の情報の関連付けを行いさらに暗号化したデータを生成する。
【００４０】
ステップ１２は、ステップ１１にて関連付け及び暗号化されたデータが携帯端末１０２のアドレス情報とリフト券の情報、サービス利用回数の情報であることを指す。
【００４１】
ステップ１３では、サーバー２０２から券売器２０１と通信器２０３へステップ１２で関連付け、暗号化されたデータが送信される。
【００４２】
ステップ１４では、券売器２０１においてステップ１２で関連付け、暗号化されたデータをリフト券に記録。
【００４３】
ステップ１５では、券売器２０１より、ステップ１２で関連付け、暗号化されたデータが記録されたリフト券が発行される。ユーザー１０１は、サービスを利用する間はこのリフト券を所持しておかなければサービスは受けられない。
【００４４】
ステップ１６では、通信器２０３から、レクチャールーム３００の通信器３０４に対してステップ１２で関連付け、暗号化されたデータが送信される。
【００４５】
ステップ１７では、通信器３０４にてステップ１２で関連付け、暗号化されたデータを受信する。
【００４６】
ステップ１８では、通信器３０４からサーバー３０３に対してステップ１２で関連付け、暗号化されたデータが送信される。
【００４７】
ステップ１９では、サーバー３０３にて通信器３０４から送信されてきたステップ１２で関連付け、暗号化されたデータを内部データーベースなどの記憶空間に記憶する。
【００４８】
以降、図３を参照すると、ステップ２０では、ユーザー１０１がサービスを受けられるハーフパイプやジャンプ台等があるゲレンデ４００に到着したことを示す。
【００４９】
ステップ２１では、ユーザー１０１がレクチャーサービスを受けるため、ゲレンデ４００に設置されているセンサー４０１にアクセスする。
【００５０】
ステップ２２では、センサー４０１がリフト券の情報の解析を行う。
【００５１】
ステップ２３では、センサー４０１かサービスが受けられるリフト券の種類かを判断する。もしリフト券がサービス利用対象外のリフト券であれば、サービスを受けられず終了となる。
【００５２】
ステップ２４では、ステップ２３でユーザー１０１が持つリフト券の種類が、サービスを受けられる種類のリフト券であることが判断されると、リフト券に記録されたステップ１２で関連付け、暗号化されたデータを読み取り、情報とサービス利用開始の情報を通信器４０３にセンサー４０１が送信する。
【００５３】
ステップ２５では、通信器４０３にてセンサー４０１から送信されてきた情報を通信器３０４に送信する。
【００５４】
ステップ２６では、通信器３０４からサーバー３０３へ、ゲレンデ４００から送られてきた情報を送信する。
【００５５】
ステップ２７では、サーバー３０３にてステップ１９で記憶したデータとゲレンデ４００から送信された情報の照合を行う。
【００５６】
ステップ２８では、サーバー３０３にステップ１９にて記憶しているデータとユーザー１０１が所持する携帯端末１０２のアドレス情報、リフト券情報等の情報かゲレンデ４００から送信された情報の比較判断を行う。
【００５７】
ステップ２９では、リフト券に記録されている利用回数の残りがあるかをサーバー３０３にてチェックを行う。
【００５８】
ステップ３０では、ステップ２８でゲレンデ４００からの情報とステップ１９で記憶した情報が不一致と判断された場合、又、ステップ２９にてサービスの利用回数が無くなっている場合にはサーバー３０３から通信器３０４に対して利用不可であるという情報を送信する。
【００５９】
ステップ３１では、通信器３０４からゲレンデ４００の通信器４０３にサービス利用不可の情報を送信する。
【００６０】
ステップ３２では、通信器４０３からサービス利用不可である情報をセンサー４０１に送信。
【００６１】
ステップ３３では、センサー４０１にサービス利用不可の情報が表示される。この場合ユーザー１０１はサービスを受けられない状態となり、処理は終了となる。
【００６２】
ステップ３４では、サーバー３０３から通信器３０４にサービス利用可能である情報を送信し、同時に端末３０２に、サービス利用者であるユーザー１０１がサービスの利用を開始するという情報を送信する。
【００６３】
ステップ３５では、端末３０２の端末画面上にサービス利用開始の情報を表示する。
【００６４】
ステップ３６では、端末３０２上に表示されたサービス利用開始の通知に対してインストラクター３０１が、滑走映像や情報が送信されてきても対応できるような待機状態であることを示す。
【００６５】
ステップ３７では、通信器３０４から通信器４０３へサービスが利用可能である情報が送信される。
【００６６】
ステップ３８では、通信器４０３からサービス利用可能である情報をセンサー４０１及びモニターカメラ４０２に送信する。
【００６７】
ステップ３９では、モニターカメラ４０２が、ステップ３８にてサービス利用可能であるとことが判明したため、映像や情報取得のための撮影等の情報収集を開始する。
【００６８】
ステップ４０では、センサー４０１はステップ３８にて送信されてきた、サービス利用可能である情報をセンサー４０１上に表示させる。ユーザー１０１はそれを見て滑走を開始する。
【００６９】
ステップ４１では、ユーザー１０１がゲレンデ４００のハーフパイプやジャンプ台等を滑走する。このときモニターカメラ４０２はリアルタイムにユーザー１０１の滑走の撮影及び情報収集を実施している。
【００７０】
ステップ４２では、モニターカメラ４０２がユーザー１０１の滑走映像や情報を通信器４０３にリアルタイムに送信する。
【００７１】
ステップ４３では、通信器４０３がユーザー１０１の滑走映像、情報を通信器３０４に送信。
【００７２】
ステップ４４では、通信器３０４がユーザー１０１の滑走映像、情報をサーバー３０３に送信する。
【００７３】
ステップ４５では、サーバー３０３は、通信器３０４から送られてきたユーザー１０１の滑走映像や情報を逐次記憶する。
【００７４】
ステップ４６では、サーバー３０３が端末３０２にユーザー１０１の滑走映像と情報を送信する。
【００７５】
ステップ４７では端末３０２がユーザー１０１の滑走映像と情報を端末３０２の画面上に表示する。
【００７６】
以降、図４を参照すると、ステップ４８では、インストラクター３０１が端末３０２に表示されたユーザー１０１の滑走映像と情報の確認を行い、改善ポイント、アドバイスの検討を行う。
【００７７】
ステップ４９では、インストラクター３０１が、端末３０２に表示された滑走映像と情報から画像書込みした改善ポイントである改善ポイントの画像情報とコメントを端末３０２に入力する。
【００７８】
ステップ５０では、端末３０２にて、インストラクター３０１の改善ポイントの画像情報と改善ポイントに関するコメントをサーバー３０３に送信する。
【００７９】
ステップ５１では、サーバー３０３にて、改善ポイントの画像情報と改善ポイントに関するコメント及びユーザー１０１が所持する携帯端末１０２のアドレス情報を関連付けデータとする。
【００８０】
ステップ５２は、ステップ５１にて関連付けられた改善ポイントの画像情報と改善ポイントに関するコメント及びユーザー１０１が所持する携帯端末１０２のアドレス情報で、ユーザー１０１に対するＯｕｔｐｕｔデータである。
【００８１】
ステップ５３では、サーバー３０３にて、次回サービス利用時の照合のためユーザー１０１のサービス利用回数のカウント値を減らしてユーザー１０１に対するサービスのOutputデータを通信器３０４に送信する。
【００８２】
ステップ５４では、通信器３０４にて、ユーザー１０１に対するサービスのOutputデータより携帯端末１０２のアドレス情報を読み出し、一般網にある携帯端末１０２宛てに、ユーザー１０１に対するサービスのOutputデータを送信する。
【００８３】
ステップ５５では、通信器３０４から携帯端末１０２宛てに送信されたユーザー１０１に対するサービスのOutputデータが、一般網を管理する通信オペレータの提供するＢＴＳ ５００を介して携帯端末１０２で受信される。
【００８４】
ステップ５６では、携帯端末１０２は、受信したユーザー１０１に対してのOutputデータを携帯端末１０２の画面上に表示する。
最後に、図４のステップ５７では、ユーザー１０１が携帯端末１０２に表示されたユーザー１０１に対するサービスのOutputデータである改善ポイントについての情報を確認して次回滑走時にそのアドバイスを生かして滑走する。
【００８５】
上記の本実施の形態によれば、スキースクールなどに入学しなくても気軽にアドバイスやレクチャーを受けることが可能である。その理由は、スキースクールなどは時間の縛りがあるため、気軽にレクチャーを受けにくく本ビジネスモデルにおいてはスクール等に比べ自分の都合でレクチャーを受けられるので時間的な制限が少ないためである。
【００８６】
また、レクチャーを受けるにあたりユーザーが専用機器の取り付けなくてもよい。その理由は、あくまでゲレンデに設置されたシステムで、アドバイスに必要な情報が得られるため、専用機器等の取り付けをユーザーが行う必要がないためである。
【００８７】
また、インストラクターやプロなどのアドバイスをデータとして保存できる。その理由は、指摘やアドバイスは、ユーザーの携帯端末に対し送信されるため、ユーザーはそのデータを保存することが可能であるためである。
【００８８】
また、リフト券以外のサービスを受けるための媒体が必要ない。その理由は、指摘やアドバイスは、ユーザーの携帯端末に対し送信され、かつリフト券にサービスを受けるための情報が記録されるためである。
【００８９】
なお、レクチャールーム３００をスキー場以外の離れた場所に設置して通信機３０４に対して通信器２０３、通信器４０３の通信を一般通信オペレータが管理するＢＴＳ５００を介して行うことで、様々なプロライセンス資格を持つ人や、インストラクターにアドバイスを受けることが可能となる。
【００９０】
更に、アドバイスや改善のポイントを想定されるパターンをレクチャールームの３０３のサーバーに登録して通信器３０４から入った滑走映像及び情報をサーバーで自動解析してユーザー１０１に登録されている改善のポイントやアドバイスの中から最適なものを結果として送信することで、インストラクター３０１の人件費の削減やインストラクター３０１毎のアドバイスのバラツキを少なくする事が可能である。
【００９１】
また、券売器２０１にて、レクチャーを受けるインストラクター３０１のプロフィールや特異分野の閲覧とインストラクター３０１を選択する機能を設けることで、自分に最も適したとユーザー１０１自身が考えるインストラクター３０１を選ぶ事が可能である。
【００９２】
なお、上述する各実施の形態は、本発明の好適な実施の形態であり、本発明の要旨を逸脱しない範囲内において種々変更実施が可能である。例えば、各情報処理装置の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００９３】
本発明よれば、スキーやスノーボードといったウインタースポーツだけによらず、ゴルフやテニス、野球、水泳といったスポーツ全般に適用することが可能である。更に、舞踊や演劇など視覚や聴覚によってアドバイスが可能なものに関しては、その道で秀でている人からアドバイスを自由に受けられる事が可能である。
【図面の簡単な説明】
【００９４】
【図１】本発明の実施の形態におけるレクチャーシステムの構成を示す図である。
【図２】本発明の実施の形態における動作の一部を示すフローチャートである。
【図３】本発明の実施の形態における動作の一部を示すフローチャートである。
【図４】本発明の実施の形態における動作の一部を示すフローチャートである。
【符号の説明】
【００９５】
１０２    携帯端末
２０１    券売器
２０２    サーバー
２０３    通信器
３０２    端末
３０３    サーバー
３０４    通信器
４０１    センサー
４０２  モニターカメラ
４０３    通信器
５００    ＢＴＳ
【図１】
2008003324.tif 000003
【図２】
2008003324.tif 000004
【図３】
2008003324.tif 000005
【図４】
2008003324.tif 000006